【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
データ処理システムに接続されるように構成されたディスプレイ装置用の電源システムであって、前記電源システムが、
ＡＣ(交流)電源からＡＣ電圧を受け取るための入力部を有し、ＤＣ（直流）電圧出力部、及び制御入力部を有し、この制御入力部は、前記ＤＣ電圧出力部の電圧を制御するように構成されているＡＣ／ＤＣコンバータと、
前記ＤＣ電圧出力部に結合されていて、前記ＤＣ電圧出力部の電圧値を入力する入力部と、前記ディスプレイ装置の第１コンポーネントにＤＣ供給電圧を与えるように構成された出力部とを有する、昇圧型の第１のＤＣ／ＤＣコンバータと、
前記ＤＣ電圧出力部に結合された第１入力部と、前記ＡＣ／ＤＣコンバータの前記制御入力部に結合された出力部とを有するコントローラとを備え、
前記コントローラは、前記データ処理システムの動作状態に従って、前記電源システムの出力を調節するように、構成されており、前記動作状態が異なる電力モードの間で変化する時に、前記コントローラは、前記コントローラの前記出力部を調整して、前記ＤＣ電圧出力部の電圧を、前記電力モードの有効範囲内に変化し、前記コントローラは、前記電力モードにおける変化に基づいて第１のＤＣ／ＤＣコンバータをターンオン又はターンオフし、前記ＤＣ電圧出力部の電圧は、前記異なる電力モード間での動作状態の変化が発生するまで、変化しない、前記電源システム。
【請求項２】
ＤＣ／ＤＣコンバータのＤＣ供給電圧が、前記コントローラに電力を与えることを特徴とする、請求項１記載の電源システム。
【請求項３】
アナログ電圧を、該アナログ電圧を表すデジタル電圧に変換するように構成されていて、前記コントローラが前記ＤＣ電圧出力部の電圧を監視することを可能にするアナログ／デジタル（Ａ／Ｄ）コンバータを更に含み、前記コントローラが前記Ａ／Ｄコンバータを介して、前記ＤＣ電圧出力部に結合されている、請求項１記載の電源システム。
【請求項４】
前記Ａ／Ｄコンバータが、前記ＡＣ／ＤＣコンバータの前記ＤＣ電圧出力部に結合されている入力部、及び前記コントローラの前記第１入力部に結合されている出力部を有することを特徴とする、請求項３記載の電源システム。
【請求項５】
前記コントローラが、前記ＤＣ電圧出力部の電圧を、ＤＣ／ＤＣコンバータの入力部の入力ＤＣ電圧の動作範囲に維持することを特徴とする、請求項１記載の電源システム。
【請求項６】
前記ＤＣ電圧出力部の前記電圧を減少することで、前記電源システムの電力効率を高めることを特徴とする、請求項１記載の電源システム。
【請求項７】
前記電力モードが、アクティブ電力モードと、低電力モード及びスタンバイ電力モードの内の少なくとも一方と、からなることを特徴とする、請求項１記載の電源システム。
【請求項８】
前記ＤＣ電圧出力部の前記電圧を減少することで、スタンバイ電力モード中に前記ディスプレイ装置によって消費される電力を下げることを特徴とする、請求項７記載の電源システム。
【請求項９】
前記ディスプレイ装置へのディスプレイ出力信号を駆動し、及び／又はその駆動を制御するためのホストコントローラを更に含み、前記コントローラが前記ホストコントローラに接続されていて、前記スタンバイ電力モードのもとで、前記コントローラが、生きたディスプレイ入力データが前記ホストコントローラから受信されたことを検出する時に、動作モードを、スタンバイ電力モードから、アクティブ電力モードに変更することを特徴とする、請求項７記載の電源システム。
【請求項１０】
前記動作状態が、前記低電力モードから前記スタンバイ電力モードに変化する時に、前記コントローラが、前記第１のＤＣ／ＤＣコンバータをターンオフし、前記動作状態が、前記スタンバイ電力モードから前記アクティブ電力モードに変化する時に、前記コントローラが、前記第１のＤＣ／ＤＣコンバータをターンオンすることを特徴とする、請求項７記載の電源システム。
【請求項１１】
前記動作状態が、前記アクティブ電力モードから前記低電力モードに変化する時に、前記コントローラは、前記コントローラの出力を調整して、前記ＤＣ電圧出力部の電圧を前記アクティブ電力モードに対する第１の値よりも低い第２の値に減少し、前記動作状態が、前記低電力モードからスタンバイ電力モードに変化する時に、前記コントローラは、前記コントローラの出力を調整して、前記ＤＣ電圧出力部の電圧を前記第２の値よりも低い第３の値に減少し、前記動作状態が、前記スタンバイ電力モードから前記アクティブ電力モードに変化する時に、前記コントローラは、前記コントローラの出力を調整して、前記ＤＣ電圧出力部の電圧を前記第３の値から前記第１の値に増加することを特徴とする、請求項７記載の電源システム。
【請求項１２】
データ処理システムに結合されるように構成されたディスプレイ用電源を動作するための方法であって、
前記電源が、ＡＣ電源からＡＣ電圧を受けるための入力部と、ＤＣ電圧出力部と、前記ＤＣ電圧出力部の電圧を制御するように構成されている制御入力部とを有するＡＣ（交流）／ＤＣ(直流)コンバータ、前記ＤＣ電圧出力部の電圧値を入力するために前記ＤＣ電圧出力部に接続された入力部と、ＤＣ供給電圧を前記ディスプレイ装置の第１コンポーネントに与えるように構成された出力部とを有する昇圧形のＤＣ／ＤＣコンバータ、及び前記昇圧形のＤＣ／ＤＣコンバータの前記ＤＣ電圧出力部に結合された第１入力部と、前記ＡＣ／ＤＣコンバータの前記制御入力に結合された出力部と、を有するコントローラを有し、前記方法が、
前記コントローラによって、前記データ処理システムの動作状態を監視し、
電力モード間での動作状態における変化を検出するのに応答して、前記コントローラによって、前記ＤＣ電圧出力部の電圧が前記電力モードの有効範囲内の値に変化するように、前記出力部を調整し、
前記コントローラによって、前記電力モードにおける変化に基づいて、第１のＤＣ／ＤＣコンバータをターンオン又はターンオフすることを特徴とする方法。
【請求項１３】
ＤＣ／ＤＣコンバータのＤＣ供給電圧が、電力を前記コントローラに供給することを特徴とする、請求項１２に記載される方法。
【請求項１４】
アナログ電圧を、該アナログ電圧を表すデジタル電圧に変換するように構成されていて、前記コントローラが前記ＤＣ電圧出力部の電圧を監視することを可能にするアナログ／デジタル（Ａ／Ｄ）コンバータを更に含み、前記コントローラが前記Ａ／Ｄコンバータを介して、前記ＤＣ電圧出力部に結合されている、請求項１２記載の方法。
【請求項１５】
前記Ａ／Ｄコンバータが、前記ＡＣ／ＤＣコンバータの前記ＤＣ電圧出力部に結合されている入力部、及び前記コントローラの前記第１入力部に結合されている出力部を有することを特徴とする、請求項１４記載の方法。
【請求項１６】
前記コントローラが、前記ＤＣ電圧出力部の電圧を、前記ＤＣ／ＤＣコンバータの前記入力部の入力ＤＣ電圧の動作範囲に維持することを特徴とする、請求項１２記載の電源システム。
【請求項１７】
前記ＤＣ電圧出力部の前記電圧を減少することで、前記電源システムの電力効率を高めることを特徴とする、請求項１２記載の電源システム。
【請求項１８】
前記電力モードが、アクティブ電力モードと、低電力モード及びスタンバイ電力モードの内の少なくとも一方と、からなることを特徴とする、請求項１２記載の電源システム。
【請求項１９】
前記ＤＣ電圧出力部の前記電圧を減少することで、スタンバイ電力モード中に前記ディスプレイ装置によって消費される電力を下げることを特徴とする、請求項１８記載の電源システム。
【請求項２０】
前記電源が、前記ディスプレイ装置へのディスプレイ出力信号を駆動し、及び／又はその駆動を制御するためのホストコントローラを更に含み、前記コントローラが前記ホストコントローラに接続されていて、前記スタンバイ電力モードのもとで、前記コントローラが、生きたディスプレイ入力データが前記ホストコントローラから受信されたことを検出する時に、前記動作モードを、前記スタンバイ電力モードから、前記アクティブ電力モードに変化することを特徴とする、請求項１８記載の電源システム。
【請求項２１】
前記動作状態が、前記低電力モードから前記スタンバイ電力モードに変化する時に、前記コントローラが、第１のＤＣ／ＤＣコンバータをターンオフし、前記動作状態が、前記スタンバイ電力モードから前記アクティブ電力モードに変化する時に、前記コントローラが、第１のＤＣ／ＤＣコンバータをターンオンすることを特徴とする、請求項１８記載の電源システム。
【請求項２２】
前記動作状態が、前記アクティブ電力モードから前記低電力モードに変化する時に、前記コントローラは、前記コントローラの出力を調整して、前記ＤＣ電圧出力部の電圧を前記アクティブ電力モードに対する第１の値よりも低い第２の値に減少し、前記動作状態が、前記低電力モードからスタンバイ電力モードに変化する時に、前記コントローラは、前記コントローラの出力を調整して、前記ＤＣ電圧出力部の電圧を前記第２の値よりも低い第３の値に減少し、前記動作状態が、前記スタンバイ電力モードから前記アクティブ電力モードに変化する時に、前記コントローラは、前記コントローラの出力を調整して、前記ＤＣ電圧出力部の電圧を前記第３の値から前記第１の値に増加することを特徴とする、請求項１８記載の電源システム。